(57)【要約】【課題】  家庭で家人が旅行等で不在でも、盆栽や植木鉢内の植物に水を長期間自動的に供給する装置を安価に提供する。【解決手段】  特殊なガスケットを有し、その穴内に紐を通すことにより高い流体抵抗値を実現し水を少しずつ出すようにし、飲物用プラスチック製容器を有効に再利用した装置で、この水を植物に供給する。【選択図】図７
2010063448.tif 000002
【特許請求の範囲】
【請求項１】
細長い部分を有するガスケットには穴が開いており、その穴径より太い紐が通されている。
そのような機構を内部に有することを特徴とした、水道の蛇口に接続する器具。
【請求項２】
（Ａ）一部分を切り取った飲物用プラスチック製容器の端には重りがついており、ピンが貫通している。
（Ｂ）上記の飲物用プラスチック製容器には別の飲物用プラスチック製容器が差し込まれて結合されており、その一部分を切り取った開口部が上を向いている。
（Ｃ）上記のピンの両端を支える台を有し、ピンは回転軸として作動する。
（Ｄ）飲物用プラスチック製容器を差し込んで作られた結合体の下には、落ちてきた水を受け入れる容器が位置している。
以上のようなことを特徴とする自動給水装置。
【発明の詳細な説明】
【技術分野】
【０００１】  植木鉢や盆栽の植物に自動で水やりを行う安価な灌水装置に関するものである。
【背景技術】
【０００２】（Ａ）家庭用商品として、タイマーと電磁弁を利用して給水する装置が市販されているがかなり高価である。
（Ｂ）長期間の旅行に出る前にプランターに大量の水を与えプランター下部の穴にゴム栓をするか、あるいは植木鉢全体を水の入った容器に浸すなどすると植物の根を傷めてしまう。
（Ｃ）ペットボトルと呼ばれる飲み物用プラスチックボトルを利用した給水装置は種々発表されているが、ボトルの容積以上の水やりはできない。
（Ｄ）近くに置かれた水の入った容器から毛細管現象を利用して給水する装置があるがかなり早い期間で水を使い切ってしまう。
（Ｅ）植木鉢の下に別の水を貯める容器が付いた二重構造で、下の容器から上の容器に繊維質の物体を配置し、その毛細管現象で給水する装置がある
（Ｆ）水道管に水が少しずつ染み出るホースを繋ぎ、植物に点滴のような給水を行う装置がある。
【発明の開示】
【発明が解決しようとする課題】
【０００３】  この発明は、長期間にわたり植物に安定した給水を自動で行なう装置を安価に提供する。
【課題を解決するための手段】
【０００４】  この発明は、植物へ水を与えるために、飲み物用プラスチック製容器を再利用して作られた自動装置と、そこへ水道から僅かずつ水を供給するために水道蛇口に付ける器具に関するものである。
本発明の装置の課題を解決しようとする手段と形態および動作を図面で説明すると次のようになる。
（Ａ）図１は本発明の、水道から僅かずつ水を供給するために蛇口に付ける器具の断面図である。この器具は先端にネジのある蛇口につけるためのものでホース取付器具（１）の端には雌ネジ部（２）を有し、ここが水道の蛇口に接続される。雌ネジ部（２）の代わりに３個か４個かの小ネジにより固定しても良い。内部には特殊ガスケット（３）が差し込まれている。ガスケットは水漏れを防ぐもので、これをパッキンと呼ぶ人もいる。通常のガスケットは中央に穴の開いた円盤状をしているが、本発明の特殊ガスケット（３）は図のように細長い円柱部を有し、中央に穴が開けられている。そしてこの穴に紐（４）が通されている。紐（４）の外径は特殊ガスケット（３）に開けられた穴の内径より大きい。紐（４）はナイロンのような化学繊維で作られており、その紐の片方（６）は細くなっている。細くするためには熱を加えて伸ばせばよい。この細くなった部分を特殊ガスケット（３）の穴に通して強く引くことにより、特殊ガスケット（３）に開けられた穴より太い紐でも通すことができ、これにより紐を流体抵抗を持つ素子とすることができる。また、一本の長い紐の端を細くすることにより、多くの特殊ガスケットに連続して一本の紐を貫通させることができ一個あたりの生産コストを下げることが可能となる。反対側になる紐の片方（５）は熱により溶かして太くし抜けないようになっている。紐（４）を片方へ引き出して、糸を何本か縫込み、紐（４）をまた元の位置に引いて戻すことにより、紐の径を太くしたのと同じ効果を得ることも可能である。
これらを雌ネジ部（２）により水道蛇口に取り付けて、水道の栓を開くと、水は特殊ガスケット内の穴を通って流れようとするが、そこに存在する紐（４）による大きな流体抵抗のため、水の流れは妨げられ少しずつ外へ流れ出るようになる。
特殊ガスケット（３）の細くなった円柱部の外側には隙間（７）がある。紐（４）がどのような材質であっても、水に長期間にわたって浸ると水を吸収して膨張する性質がある。隙間（７）が無いと紐（４）の吸水による膨張により、特殊ガスケット（３）の穴内の流体抵抗値は変化するが、隙間（７）があるため特殊ガスケット（３）の細長くなった円柱部は押し広げられ、内部の流体抵抗値が大きく変化するのを防ぐ。また特殊ガスケット（３）は合成ゴム等で作られており、適当な弾力を有するため、紐（４）を外周から適当な圧力で締め付けて紐（４）の外周の繊維の隙間を埋め、水がここから流れるのを妨ぐ。
もしも、このような特殊ガスケット（３）を付けずに普通の円盤状のガスケットを使用し、ホース取付器具（１）の内部の穴を紐（４）の径より小さくして紐（４）を通す構造とすれば、紐（４）が吸水により膨張しても穴系がほとんど広がらないため流体抵抗値はかなり大きく変化してしまう。また紐の外周の繊維の隙間を完全に埋めるのも難しくなる。このような不都合を生じないように、本発明では特殊ガスケット（３）の持つ弾力性と、隙間（７）の持つ働きを有効に利用している。
図１のホース取付器具（１）の雌ネジ部（２）の反対側はホースをつなぐ構造であり、ここには漏れ止めのためのＯリング（８）がある。
図２のように他の器具を介して蛇口に接続する構造としても良い。
図２のホース取付器具（１）内には特殊ガスケット（３）があり、紐（１２）が通されている。この図では紐（１２）の両端は熱で溶かして丸く太くしてある。
特殊ガスケット（３）の内径と紐（１２）の外径の関係は前記の通りである。
ホース取付器具（１）にはホース（１１）が嵌めてありＯリング（８）が漏れ止めとなっている。特殊ガスケット（３）と紐（１２）により作られた高い流体抵抗値のため、これを通ってから、ホース（１１）内へ向かう水の水圧は低い。ホース取付器具（１）と差し込まれたホース（１１）の摩擦と、およびＯリング（８）により漏れ止めの効果は十分果たせる。
ホース取付器具（１）と水道側ホース取付器具（９）はネジ部（１０）で結合され、特殊ガスケット（３）の片側部分を強く圧して水が漏れないようにしている。
水道側ホース取付器具（９）に嵌められたホース（１３）内には水道栓からの高い水圧がかかるためＯリング（１４）だけでは漏れ止めとしては不十分で、図２では、一般にホースバンドと呼ばれて広く市販されている器具を利用して堅く取り付けている。ホースバンドは針金（１５）と針金（１６）を金属板（１７）のネジ穴に付けたネジ（１８）によりホース（１３）を締め付けている。図ではこのホースバンドの構造が分かりにくいが広く市販されている器具のため詳細の説明は省く。ホース（１３）は水道栓から供給される水の圧力に耐える強さが必要となる。
（Ｂ）図３は、本発明の、ペットボトルと呼ばれる飲み物用プラスチック製容器を再利用した植物へ水やり装置の動作を説明するための簡略化した断面図である。
以下の説明では、飲み物用のプラスチック製容器を、簡単に一般的な呼び方であるペットボトルとして説明している。
この図の装置では３個のペットボトルが使用されている。
ペットボトル加工品（２０）は元のペットボトルのキャップ側の一部分を斜めに切り取ってあり、それによりできた開口部（２１）が上を向いて位置している。
このペットボトル加工品（２０）を斜視図で示すと図４のようになる。
図４のペットボトル加工品（２０）の開口部（２１）はカッターや鋏などで加工できる。そして小穴（２２）が開けられている。この図ではボトルのキャップ側を捨てて底の方を利用しているが、逆にボトルの底の方を斜めに切り取って捨ててキャップ側を利用してもよい。
図３の右側にはペットボトル加工品（２３）があり、これは元のペットボトルの半分近くを切り取って作ったものである。これにはピン（２９）が通されている。底部にはコンクリート（２８）が流し込まれて固まっている。
この部分のみを斜視図で示すと図５のようになる。
図５のペットボトル加工品（２３）には切り取られてできた開口部（２４）があり、この縁には切り込み（２５）のような２ｃｍほどの切込みが４箇所ほどある。これらの切り込みを作るのは鋏などでできる。また元のペットボトルの１部（２６）が舌状に残されてあり、ここには小穴（２７）が開けられている。
小穴（２７）は加熱した金属棒を通すなどして簡単に開けることができる。同じように開けられた小穴（３０）が底に近い位置に開けられている。図５のペットボトル加工品（２３）の下側にはピン（２９）が通されている。
これを断面図で説明すると図６のようになる。図６のペットボトル加工品（２３）の内面と平行にピン（２９）が貫通している。図６では図が複雑になるのを避けるため、本来なら見えるペットボトルの曲面を描くのを省いてある。
図５ではペットボトルの底側を利用してキャップ側を捨てているが、逆に底側を捨ててキャップ側を利用してもかまわない。コンクリート（２８）は重りとしての役目を持ち、この代わりに金属の板を外側にネジ止めしたりしても良い。
再び図３で本発明の構成と動作を説明すると次のようになる。
ペットボトル加工品（２０）はペットボトル加工品（２３）に差し込まれている。
ペットボトルは柔軟性があり図５の切り込み（２６）などの切込みをいくつか作ることによりペットボトル加工品（２０）とペットボトル加工品（２３）を簡単に差し込んで固定できる。固定を確実にするために、図４で説明の小穴（２２）と図５で説明の小穴（２７）の位置を合わせ、図３で示すネジ（３１）でしっかり締めれば振動等に対しずれなくなる。接着剤などを併用すればさらに強くなる。
ペットボトルは全体に角が無く円みをおびていて、柔軟性があると共に堅くて強度があり、規格が同じであれば嵌め込み易く、確実に一体化できる利点がある。
ピン（２９）は両端を台（３２）で支えられて、これが回転軸として作動する。
コンクリート（２８）は重りとして働き、装置の動作初期の段階では、この重りのためコンクリート（２８）側は下に動こうとしてピン（２９）を中心として回転し、台（３２）に当たって図３の状態で止まる。ペットボトル加工品（２３）の中に雨水などが入っても小穴（３０）から排出される。
開口部（２１）は上を向いており、その上にはホース（１９）の先端がある。ホース（１９）の他の端は前記のような水道蛇口に付ける器具を介して水道につながれている、これにより水道から水は僅かずつ、ホース（１９）の先端から開口部（２１）の中に滴り落ちる。ペットボトル加工品（２０）の下部には穴あけや、重りを付ける等の加工を加えておらず、これらによる水漏れは無い。ペットボトル加工品（２０）の大部分の容積を有効に利用できる。これらが２個のペットボトルを結合したことによる大きな利点である。
ホース（１９）は支持器具先端の輪状部分（３９）に差し込まれて固定され、支持器具（３８）は台（３２）に固定されている。ホース（１９）の先端から落ちた水滴（４１）はペットボトル加工品（２０）の中に溜まる。溜まった水（４２）は徐々に重くなる。溜まった水が時間と共に増えて重くなると、支点であるピン（２９）を中心としたモーメントによる力が逆転し、ペットボトル加工品（２０）とペットボトル加工品（２３）の結合体は回転をし始め、開口部（２１）は下方へ移動する。すると水（４２）は開口部（２１）よりこぼれ出て下に位置したペットボトル加工品（３３）の開口部（３４）を通してペットボトル加工品（３３）の下に流れ込む。落ちてきた水を受け入れる容器としての、ペットボトル加工品（３３）の代わりに単なる容器を用いても良い。ペットボトル加工品（３３）には開口部（３４）を加工する時に作られたペットボトルの切り起こし部分（３５）があり、開口部（２１）よりこぼれ出て跳ね返った水を開口部（３４）に戻す役目をしている。
ペットボトル加工品（２０）の中の水の大部分が流出すると、コンクリート（２８）の重みのため、ペットボトル加工品（２０）とペットボトル加工品（２３）の結合された物は回転して、元の状態に復帰する。日本古来の庭園用器具に竹を使用して流水を受け、ある程度の水が溜まると傾いて水を流し、元に戻る時に快い音を出す器具がある。ペットボトル加工品（２０）とペットボトル加工品（２３）を結合体は、これと動作が似ている。そしてプラスチック製容器の持つ特徴を存分に生かして、二つのペットボトルを巧みに組み合わせ、水漏れが無く充分な強度を持ち、簡単にしかも大容量の水を植物に与える役目を可能としている。
ペットボトル加工品（２３）の中にしみこんだ水は小穴（３０）より排出される。これによりペットボトル加工品（２３）側の重量が変化するのを防いでいる。
ペットボトル加工品（３３）に流れ込んだ水は下に開けられた小穴（３６）に通されたチューブ（３７）等の中を通り多くの植物に供給される。小穴（３６）は熱した金属棒などで開けた穴をドリルなどで加工して正確な穴径を得られる。チューブが抜け落ちるのを防止するためには、チューブの端に縫い針で糸を通せば良い、接着しても良い。チューブの代わりに紐を開口部（３４）から中に入れて、その毛細管現象を利用して植物に水を導いても良い。
図７は植物側に置かれた本発明の装置の使用例の斜視図である。
支持器具（４３）に支えられたホース（４５）の先から落ちた水滴は開口部（２１）に入り、やがてペットボトル加工品（２０）とペットボトル加工品（２３）の結合体は台（４４）に差し込まれたピン（２９）を中心に回転し、勢いよく流れ出た水はペットボトル加工品（３３）の開口部（３４）へ入る。ペットボトル製カバー（４８）とペットボトル切り起こし部分（３５）は水が外部へ飛び散るのを防ぐ。
止め金具（４６）と止め金具（４７）は装置が振動により動くのを防止している。ペットボトル加工品（３３）の中に溜まった水はチューブ（３７）とチューブ（４９）を通り、盆栽鉢（５０）の植物（４０）へ供給される。
【発明の効果】
【０００５】（Ａ）水道より水を僅かずつ出す装置を安価に提供できる。
（Ｂ）容易に入手でき容量も大きなペットボトルを利用して、人が不在になっても長期間にわたり植物に水を供給できる。しかも補修し易く、安価である。
【図面の簡単な説明】
【０００６】
【図１】は本発明の水道蛇口に付ける器具の断面図である。
【図２】は本発明の水道蛇口に付ける器具の断面図である。
【図３】は本発明の植物側に位置する装置の簡略化した断面図である。
【図４】は本発明の装置の１部分の斜視図である。
【図５】は本発明の１部分の斜視図である。
【図６】は本発明の装置の１部分の正面図である。
【図７】本発明の植物側に位置する装置の使用例の斜視図である。
【符号の説明】
【０００７】（１）はホース取付器具
（２）は雌ネジ部
（３）は特殊ガスケット
（４）は紐
（５）は紐の片方
（６）は紐の片方
（７）は隙間
（８）はＯリング
（９）は水道側ホース取付器具
（１０）はネジ部
（１１）はホース
（１２）は紐
（１３）はホース
（１４）はＯリング
（１５）は針金
（１６）は針金
（１７）は金属板
（１８）はネジ
（１９）はホース
（２０）はペットボトル加工品
（２１）は開口部
（２２）は小穴
（２３）はペットボトル加工品
（２４）は開口部
（２５）は切り込み
（２６）はペットボトルの一部
（２７）は小穴
（２８）はコンクリート
（２９）はピン
（３０）は小穴
（３１）はネジ
（３２）は台
（３３）はペットボトル加工品
（３４）は開口部
（３５）はペットボトルの切り起こし部分
（３６）は小穴
（３７）はチューブ
（３８）は支持器具
（３９）は支持器具先端の輪状部分
（４０）は植物
（４１）は水滴
（４２）は水
（４３）は支持器具
（４４）は台
（４５）はホース
（４６）は止め金具
（４７）は止め金具
（４８）はペットボトル製カバー
（４９）はチューブ
（５０）は盆栽鉢
【図１】
2010063448.tif 000003
【図２】
2010063448.tif 000004
【図３】
2010063448.tif 000005
【図４】
2010063448.tif 000006
【図５】
2010063448.tif 000007
【図６】
2010063448.tif 000008
【図７】
2010063448.tif 000009